(57)【要約】【課題】寝たきり高齢者等の臀部に付着している排泄汚物等を確実に洗い落として悪臭や汚臭の根源を排除できる洗浄装置を提供する。【解決手段】腰掛用椅子部本体１と、被洗浄者の臀部を収容する大きさに形成され、椅子部本体の腰掛部位に設置した洗浄槽２とを備える。多数の空気噴出孔を有する気泡発生用の空気噴出管部３を洗浄槽内の底部の中央部に配設し、温水タンク４内の温水を洗浄槽内に入れる。椅子部本体の所望部にオゾン発生器５と、この発生器へ圧力空気を送給する空気送給手段６とを設置し、オゾン含有空気を空気噴射管部の各噴出孔から洗浄槽内の温水中へ噴射させて温水中に噴射気泡を発生させる。臀部を洗浄槽内に入れ、噴射気泡の作用により臀部を洗浄する。【選択図】図３
0003172661.tif 000002
【実用新案登録請求の範囲】
【請求項１】
腰掛用椅子部本体と、
被洗浄者の臀部を略全体的に収容し得る大きさに形成され、前記椅子部本体の腰掛部位に配置して設けた上端開口の洗浄槽と、
管体の長手方向に所望の間隔で形成した複数個の空気噴出孔を有し、前記洗浄槽内の底部側の略中央部に位置させて前記洗浄槽の前後方向に向けて配置して設けた気泡発生用の空気噴出管部と、
加熱手段を有し、水を収容して加熱する所望の大きさの温水タンクと、
前記タンクと前記洗浄槽とを連通させて設け、前記タンク内の温水を前記洗浄槽内へ送給する液体輸送管路と、
オゾン発生器と、
前記オゾン発生器へ圧力空気を送給する空気送給手段と、
前記オゾン発生器から圧力送出されるオゾン含有空気を前記空気噴出管部へ送給する空気輸送管路と、
前記洗浄槽の下部側に位置させて、前記椅子部本体に引き出し可能に設置して設け、前記洗浄槽内の温水を捕集する廃水用捕集槽と、
前記洗浄槽内の温水を前記洗浄槽の底部から前記捕集槽内へ流出する流出用管路とを備え、
前記温水タンク、前記オゾン発生器、及び前記空気送給手段は前記椅子部本体の所望部に設置して設けてある
ことを特徴とする洗浄装置。
【請求項２】
前記洗浄槽は、前記洗浄槽の略中央部における底壁部を凹ませて、後壁部側から前壁部側との間に形成した凹状スペースを有する凹状底壁部を備え、前記空気噴出管部の前記管体は前記凹状スペース内に配置して設けてあることを特徴とする請求項１に記載の洗浄装置。
【請求項３】
請求項１に記載の洗浄装置において、前記洗浄槽に設けたオーバーフローと、前記オーバーフローから流出する排水を捕集する捕集手段とを備えていることを特徴とする洗浄装置。
【請求項４】
前記洗浄槽は、内側槽及び外側槽とで形成した二重槽で構成され、前記オーバーフローは前記内側槽に設けてあることを特徴とする請求項３に記載の洗浄装置。
【請求項５】
前記凹状底壁部は、前記二重槽で構成した前記洗浄槽の前記内側槽に設けてあることを特徴とする請求項４に記載の洗浄装置。
【請求項６】
前記椅子部本体はキャスターを備えていることを特徴とする請求項１に記載の洗浄装置。
【請求項７】
前記椅子部本体は肘掛け部及び背もたれ部を備えていることを特徴とする請求項１又は６に記載の洗浄装置。
【考案の詳細な説明】
【技術分野】
【０００１】
本考案は、洗浄装置に関する。さらに詳しくは、例えば寝たきり高齢者等の身体、特に尻部及び尻部の周囲の皮膚等に付着している排泄汚染等を洗浄して除去し、悪臭や汚臭等の臭気を排除する洗浄装置に関する。
【背景技術】
【０００２】
従来より、例えば老人福祉施設、保健施設、或いは一般家庭内における寝たきり高齢者などの排泄汚物の処理は介護作業の中で一番困っている問題である。これらの作業は毎日毎回くり返して継続し、高齢者等を預かっている施設は勿論のこと、一般家庭の介護も同様である。
【０００３】
一般に寝たきり高齢者等は紙オムツを使用しており、排泄された大部分の汚物は紙オムツで除去されるが、皮膚等に付着している汚物はどうしても残る。従来は紙オムツにより汚物を拭き取っているが、この方法では汚物を完全に取り除くことはできず、皮膚等に汚物が残るため肌荒れが起き易い原因となっている。また、上記したように、排泄汚物が残るため、悪臭や汚臭等の臭気が発生する問題を有している。この悪臭等の臭気の元は、特に尻部及び尻部の周囲に付着している排泄物である。
【０００４】
従来、この種の洗浄装置として、身体に付着している排泄物等の被吸引物を吸い込む吸い口部と、この吸い口部につながる吸引手段と、この吸引手段の作用によって前記吸い口部から吸い込まれた被吸引物を蓄える被吸引物タンクと、液を蓄える液用タンクと、このタンク内の液を被吸引物に対して吹き付ける液吹付手段とを具備し、液吹付手段によって被吸引物に吹き付けた液と共に被吸引物を、前記吸い口部から前記吸引手段の作用によって吸引し、前記被吸引物用タンクに備えるように構成したものがある（例えば、特許文献１参照）。この従来の装置（従来技術）によれば、高齢者等の皮膚等に付着している排泄汚物等を除去することができる。
【０００５】
しかし、従来技術はタンク内の液をポンプ等で吹き付けるため、吹き付ける液の量が多量になる。そのため、この吹き付けた液が周囲に飛散し、或いはもれたりして敷布等を濡らすおそれを有している。また、従来技術は排泄汚物等の被吸引物を液と共に吸引し、ホース内を輸送して被吸引物用タンク内に蓄えるように構成してあるため、ホースの内壁面やタンク内に排泄汚物等が付着して汚染する問題を有している。さらにまた、従来技術は単に水やぬるま湯等の液を吹き付けるものであるため、悪臭や汚染等の臭気が残る等の問題も有している。
【先行技術文献】
【特許文献】
【０００６】
【特許文献１】特開２００１−１６１７６２号公報
【考案の概要】
【考案が解決しようとする課題】
【０００７】
本考案は上記したような実情に鑑みてなされたもので、寝たきり高齢者等の皮膚等に付着して残っている排泄汚物等を確実に洗浄して除去し、悪臭等の臭気の根源を排除することができる洗浄装置を提供することを目的とするものである。
【課題を解決するための手段】
【０００８】
上記目的を達成するため、本考案のうち１つの考案（第１の考案）は、腰掛用椅子部本体と、
被洗浄者の臀部を略全体的に収容し得る大きさに形成され、前記椅子部本体の腰掛部位に配置して設けた上端開口の洗浄槽と、
管体の長手方向に所望の間隔で形成した複数個の空気噴出孔を有し、前記洗浄槽内の底部側の略中央部に位置させて前記洗浄槽の前後方向に向けて配置して設けた気泡発生用の空気噴出管部と、
加熱手段を有し、水を収容して加熱する所望の大きさの温水タンクと、
前記タンクと前記洗浄槽とを連通させて設け、前記タンク内の温水を前記洗浄槽内へ送給する液体輸送管路と、
オゾン発生器と、
前記オゾン発生器へ圧力空気を送給する空気送給手段と、
前記オゾン発生器から圧力送出されるオゾン含有空気を前記空気噴出管部へ送給する空気輸送管路と、
前記洗浄槽の下部側に位置させて、前記椅子部本体に引き出し可能に設置して設け、前記洗浄槽内の温水を捕集する廃水用捕集槽と、
前記洗浄槽内の温水を前記洗浄槽の底部から前記捕集槽内へ流出する流出用管路とを備え、
前記温水タンク、前記オゾン発生器、及び前記空気送給手段は前記椅子部本体の所望部に設置して設けてあることを特徴とする。
【０００９】
上記のように構成すると、洗浄槽内に所望温度の温水を入れ、オゾン発生器の電源スイッチをＯＮにし、空気送給手段を稼動すると、圧力空気がオゾン発生器へ送給される。そして、オゾン発生器内でオゾン含有空気となり、この空気は空気噴出管部に圧力送給され、空気噴出孔から洗浄槽内の温水中に気泡（バブル）となって噴出される。
【００１０】
そこで、洗浄槽内に被洗浄者の臀部を容れる（収容する）ことにより、噴射気泡の作用（エアレーション）により尻部を含めて臀部全体が自動的に洗浄される。したがって、尻部の皮膚等に付着している排泄汚物等はきれいに除去されるので、悪臭等の臭気は完全に脱臭される。
【００１１】
また、オゾンの作用により、皮膚等を殺菌及び消毒することができる。さらにまた、従来技術のように液体がもれたりして敷布等を濡らす問題を解消できる。
【００１２】
本考案の他の１つの考案（第２の考案）は、第１の考案の洗浄装置において、前記洗浄槽は、前記洗浄槽の略中央部における底壁部を凹ませて、後壁部側から前壁部側との間に形成した凹状スペースを有する凹状底壁部を備え、前記空気噴出管部の前記管体は前記凹状スペース内に配置して設けてある構成されていることを特徴とする。
【００１３】
本考案のさらに他の１つの考案（第３の考案）は、第１の考案の洗浄装置において、前記洗浄槽に設けたオーバーフローと、前記オーバーフローから流出する排水を捕集する捕集手段とを備えていることを特徴とする。
【００１４】
本考案のさらに他の１つの考案（第４の考案）は、第３の考案の洗浄装置において、前記洗浄槽は、内側槽及び外側槽とで形成した二重槽で構成され、前記オーバーフローは前記内側槽に設けてあることを特徴とする。
【００１５】
本考案のさらに他の１つの考案（第５の考案）は、第４の考案の洗浄装置において、前記凹状底壁部は、前記二重槽で構成した前記洗浄槽の前記内側槽に設けてあることを特徴とする。
【００１６】
本考案において、前記椅子部本体にキャスターを設ける構成を採用することができる。また、前記椅子部本体に肘掛け部及び背もたれ部を備える構成を採用することもできる。
【考案の効果】
【００１７】
本考案によれば、次のような作用効果を奏する。
（１）洗浄槽内に温水を入れ、前記槽内に被洗浄者の臀部を入れてオゾン発生器の電源スイッチをＯＮにすると共に空気送給手段を稼動することにより、噴射気泡の作用により、尻及び尻部の周囲を含めて臀部全体を洗浄される。したがって、尻部の皮膚等に付着している排泄汚物等はきれいに除去されるので、悪臭等の臭気は完全に脱臭される。
（２）上記洗浄は短時間（約２分間ないし約３分間程度）で簡単に実施できる。
（３）オゾンの作用により、皮膚等を殺菌及び消毒することができる。
【図面の簡単な説明】
【００１８】
【図１】本考案の一実施形態の洗浄装置の構成を概略的に示す斜視図である。
【図２】前記洗浄装置の使用状態を示す説明側面図である。
【図３】前記洗浄装置の構成を概略的に示す縦断側面図である。
【図４】前記洗浄装置の構成を概略的に示す縦断正面図である。
【図５】前記洗浄装置に採用した温水タンクに設けた温度センサー及びヒーターの電気回路図を概略的に示す説明図である。
【図６】前記洗浄装置に採用したオゾン発生器及び空気送給手段の構成を概略的に示す縦断説明図である。
【図７】前記洗浄装置に採用した空気噴出管部の構成を概略的に示す図であって、同図（ａ）は平面図、同図（ｂ）は同図（ａ）のＡ−Ａ線拡大断面図である。
【考案を実施するための形態】
【００１９】
以下、図面を参照して本考案の洗浄装置の実施形態の一例について説明する。
【００２０】
図１ないし図７は本考案の一実施形態を示す。図１ないし図７に示すように、本実施形態の洗浄装置は、腰掛用椅子部本体１、洗浄槽２、空気噴出管部３、温水タンク４、オゾン発生器５、空気送給手段６、及び廃水用捕集槽７とを備える。
【００２１】
本実施形態の椅子部本体１は、前記本体１の両側部に設けた肘掛け部１０ａ，１ｂと、前記本体１の後部側に設けた背もたれ部１１と、前記本体１の前方下部側に設けた足乗せ台部１２ａ，１２ｂと、前記本体１の下端部に設けた基台部１３と、基台部１３の下部に所望数（図示では４個）取付けて設けたストッパー付きキャスター１４とを備える。背もたれ部１１の背面側の上部側には手押し操作用のハンドル部１５を備える。
【００２２】
また、本実施形態の椅子部本体１の腰掛部位には、洗浄槽２を収容する収容部１６（符号１６は図３参照）が形成され、収容部１６の底部には洗浄槽２を支持する支持用台部１７を備える。さらにまた、椅子部本体１は、背もたれ部の後方側へ突出させて設け、空気送給手段６、オゾン発生器５、及び温水タンク４を載置する載置台用部１８を備える。
【００２３】
洗浄槽２は上端を開口（開口部２０）し、被洗浄者８（図２参照）の臀部８０を略全体的に収容し得る大きさに形成されている。この場合、洗浄槽２は平均的な高齢者等の臀部の略全体を、ゆとりをもって収容し得る大きさに形成することが好ましい。
【００２４】
洗浄槽２は、上端開口部２０を上方に向け、椅子部本体１の腰掛部位に形成した前記収容部１６に収容して配置し、支持用台部１７で支持させて設けられる。この場合、洗浄槽２は、適当部を椅子部本体に固定して設置するように構成してもよい。
【００２５】
洗浄槽２の構成素材は特に限定するものではないが、例えばＦＲＰ（強化プラスチック）等の合成樹脂材等を採用できる。本実施形態の洗浄槽はＦＲＰ製を採用している。
【００２６】
本実施形態の洗浄槽２は内側槽２１と外側槽２２とで形成した二重槽で構成されている。洗浄槽２は、槽２の略中央部における底壁部２１ａを凹ませて、槽２の後壁部側（背もたれ部１１側）から前壁部側との間に形成した凹状スペース２３（図４参照）を有する凹状底壁部２１ｂを備える（底壁部２１ａ及び凹状底壁部２１ｂについては図４参照）。本実施形態の凹状底壁部２１ｂは断面略Ｕ字形状に形成されている。空気噴出管部３の管体３０は、凹状底壁部２１ｂの前記凹状スペース２３内に配置して設けられる。この点については追ってさらに説明する。
【００２７】
本実施形態の洗浄槽２は上述したように二重槽で構成され、前記凹状底壁部２１ｂは内側槽２１の底壁部２１ａに形成されている。なお、洗浄槽２は実施形態のように、二重槽で構成することなく、単一の槽で形成する構成を採用してもよい。
【００２８】
洗浄槽２は、上端開口部２０側にオーバーフロー２４を備える。本実施形態のオーバーフロー２４は内側槽の上端開口部２０近くに所望数設けた長孔で形成されている。これにより、洗浄槽２内に入れた温水２５は槽２から外部へ溢れ出ることなく、オーバーフロー２４から流出し、後述するように廃水用捕集槽７内へ捕集される。
【００２９】
洗浄槽２の底部には、槽２内の温水２５を捕集槽７へ流出する排水管２６を備える。本実施形態の排水管２６は内側槽２１の凹状底壁部２１ｂから外側槽２２の底壁部２２ａを貫通させて設けてある。
排水管２６は開閉手段２７を備えている。本実施形態の開閉手段２７は排水管２６に介装して設けた手動式や電磁式の開閉バルブで構成した例が開示されている。洗浄を終了した後、槽２内の温水は開閉手段（前記バルブ）を開けて槽２の底部から排水し、この排水２５ａは捕集槽７内へ捕集される。なお、開閉手段２７としては、排水管２６の上端部に挿脱自在に挿嵌するゴム製等の弾性開閉栓で構成することもできる。
【００３０】
また、洗浄槽２の底部には、オーバーフロー２４から流出する溢水を捕集槽７へ流出するドレーン管２８を備える。本実施形態のドレーン管２８は外側槽２２の底壁部２２ａに設けてある。これにより、オーバーフロー２４から流出するオーバーフロー水は、内側槽２１と外側槽２２との間隙部２９内に入り、間隙部２９内を流下して外側槽２２の底壁部２２ａからドレーン管２８を通って捕集槽７内に流出して捕集される。
【００３１】
なお、洗浄槽２を本実施形態のように内外の二重槽で構成することなく、単一の槽で形成する構成を採用する場合には、オーバーフローから流出するオーバーフロー水を捕集槽７内へ誘導して捕集させる誘導流路を備える。この誘導流路としては、例えば、オーバーフローの部位に部分的に二重壁を形成し、この二重壁で誘導流路を構成し、オーバーフロー水を前記流路内を流下させて捕集槽７内へ誘導して流出させるようにする構成等を採用できる。
【００３２】
空気噴出管部３は、所望の径及び長さの管体３０を備える。管体３０は長手方向に所望の間隔で形成した複数個の空気噴出孔３１を有している。本実施形態では、図７に詳細に示すように、空気噴出孔３１を三列に配置して形成した例が開示されている。空気噴出管部３は、空気噴出孔３１を上方側に向け、凹状底壁部２１ｂの凹状スペース２３内に洗浄槽２の前後方向に向けて管体３０を収容配置して設けてある。これにより、オゾン含有空気は各噴出孔３１から槽２内へ噴出させるように構成してある。なお、空気噴出管部３は、気密性を保持させて洗浄槽２に設けてある。
【００３３】
椅子部本体１に設けた前記載置用台部１８上には、温水タンク４、オゾン発生器５、及び空気送給手段６が載置して設けてある。本実施形態では、台部１８上に空気送給手段６を載置し、その上部にオゾン発生器５を載置し、発生器５の上部に温水タンク４を載置して設けた例が開示されている。
【００３４】
温水タンク４は、タンク本体４０と、開閉蓋４１とを備える。開閉蓋４１にはエアー抜き部４２を備える。タンク本体４０の大きさは、洗浄槽２の容積と略同一ないし略２倍程度の容積に形成されている。
【００３５】
前記温水タンク４は、図５に詳細に示すように、タンク内に収容した水２５ｂを加熱する加熱手段４３を備える。本実施形態の加熱手段４３はタンク４内に気密性を保持して設けた防水性のヒーターで構成されている。前記ヒーターとしては、例えば、防水性のシーズヒーターその他の任意構成のヒーターを採用できる。この加熱手段４３により、タンク内の水２５ｂを所望温度に加熱して温水２５とする。
【００３６】
また、温水タンク４は、図５に示すように、温度センサー４４と、このセンサー４４と電気的に接続した電子制御回路４５と、この制御回路４５と加熱手段４３とを電気的に接続した電線４６と、電線４６に介装して設けた開閉スイッチ４７とを備え、前記回路４５を電源４８に電気的に接続する。
そして、制御回路４５によりタンク内の水２５ｂの加熱温度を所望温度に設定する。これにより、加熱手段４３の電源スイッチＳ１（図１、図２参照）をＯＮにすることにより、タンク内の水２５ｂは加熱手段４３のヒーターで加熱され、設定温度に達した時点でスイッチ４７を開成（ＯＦＦ）し、また、設定温度以下になったとき、スイッチ４７を再び閉成（ＯＮ）するように構成してある。
【００３７】
前記タンク４は、液体輸送管路４Ａにより、タンク４の底部側と洗浄槽２内（本実施形態では内側槽２１内）とを連通させてある。前記管路４Ａは開閉手段４９を備える。本実施形態の開閉手段は管路４Ａに介装して設けた手動式や電磁式の開閉バルブで構成した例が開示されている。
【００３８】
前記液体輸送管路４Ａは、タンク４内の温水２５を洗浄槽２内へ送給（輸送）するものである。本実施形態では、タンク４と洗浄槽２との落差により、タンク４内の温水２５を洗浄槽２内へ自然に送給（輸送）する構成を採用している。そのため、温水タンク４は洗浄槽２より上方に位置させて配置してある。本実施形態では、タンク４の底部を洗浄槽２の上端部と略同じ高さになるように配置してタンク４を設置してある。これにより、開閉手段４９のバルブを開くことにより、タンク４内の温水２５は落差によりタンク４の底部側から自然流出し、管路４Ａを通って洗浄槽２内に送給される。そして、温水２５が洗浄槽２内に適当量（例えば、槽２内の約半分ないし半分強）送給された時点で前記バルブを閉じる。
【００３９】
前記オゾン発生器５は、図６に詳細に示すように、ハウジング５０と、空気導入口５１及び空気排出口５２とを有し、ハウジング５０内に設けた外筒５３と、この外筒５３内に配設されて紫外線（オゾン線）を照射する任意本数の紫外線ランプ５４とを有している。ランプ５４は交換可能に設けてある。
本実施形態の前記ランプ５４は、図示しない電線から漏電ブレーカ、安全器５５（チョークボックス）を経て送られてくる電力により点灯させるように構成してある。前記ランプ５４のＯＮ、０ＦＦはランプの電源スイッチＳ２（図１、図２参照）を操作して行う。なお、前記紫外線ランプ５４は微濃度の紫外線（オゾン線）を照射するランプを採用するのが好ましい。
【００４０】
前記空気送給手段６は、オゾン発生器５へ圧力空気を送給するものである。図６に示すように、空気送給手段６はハウジング６０内に設置されている。空気送給手段６はコンプレッサー、ブロアーポンプ等で構成されている。空気送給手段６は空気出口６１を接続ホース６２を介して前記外筒５３の空気導入口５１と接続されている。
【００４１】
空気供給手段６はモータ（図示せず）で稼動（駆動）する。空気送給手段６は図示しない電源と電気的に接続され、電源スイッチＳ３（図１、図２参照）を操作してＯＮ、ＯＦＦする。これにより、空気送給手段６からホース６２を介して外筒５３内へ送られる圧力空気は、紫外線ランプ５４から照射される紫外線が作用してオゾン含有の空気となり、このオゾン含有空気は前記排出口５２から圧力送出される。
【００４２】
オゾン発生器５の前記排出口５２は、図３等に示すように、空気輸送管路６Ａにより空気噴出管部３と接続されている。これにより、前記排出口５２から圧力送出されるオゾン含有空気は、前記空気輸送管路６Ａを介して空気噴出管部３に圧力送給され、空気噴出孔３１から洗浄槽２内の温水中に気泡９となって噴出される。
【００４３】
そこで、洗浄槽２内（槽２内には温水が入っている）に被洗浄者の臀部を容れることにより、噴射気泡９の作用（エアレーション等）により約２分間〜約３分間程度で尻部を含めて臀部全体が自動的に洗浄される。したがって、尻部の皮膚等に付着している排泄汚物等はきれいに除去されるので、悪臭等の臭気は完全に排除される。
【００４４】
前記廃水用捕集槽７は、洗浄槽２の下部側に位置させて、椅子部本体１に引き出し可能に設置して設けてある。捕集槽７は洗浄槽２の容積より大に形成し、槽２内に入れた温水（使用済み温水）を充分なゆとりをもって収容できる大きさに形成する。本実施形態の捕集槽７は上端を開口した四角形の容器状に形成されている。
【００４５】
本実施形態では、椅子部本体１の基台部１３に捕集槽７と対応する間隔で案内レール７０ａ，７０ｂ（図３参照）を対向して設け、捕集槽７を両レールに係合し、図４に仮想線で示すように、引き出し可能に設置して設けてある。槽２内の使用後（洗浄した後）の温水（廃水）２５ａは、開閉手段２７を開け、排水管２６を通して捕集槽７内に全て捕集される。前記捕集槽７の前壁部には、引き出し操作用の指掛け部７１が設けてある。捕集槽７は指掛け部７１に指を掛けて引き出すように構成してある。
【００４６】
本実施形態の洗浄装置は上記構成を具備している。そして、図２に示すように、被洗浄者８の臀部８０を洗浄槽２内に入れて槽２の底壁部に着座して椅子部本体１に腰掛けるようにして使用するものである。
【００４７】
本実施形態の洗浄装置によれば、次のような作用効果を奏する。
（１）洗浄槽内に温水を入れ、オゾン発生器の電源スイッチをＯＮにすると共に空気送給手段を稼動（駆動）すると、空気噴出管部の空気噴出孔からオゾン含有空気が噴出されるので、洗浄槽内の温水中に前記空気が気泡となって噴出される。そこで、被洗浄者の臀部を洗浄槽内（温水内）に入れることにより、噴射気泡の作用により尻及び尻部の周囲を含めて臀部全体が洗浄される。したがって、尻部の皮膚等に付着している排泄汚物等はきれいに除去されるので、悪臭等の臭気は完全に脱臭される。
（２）上記洗浄は短時間（約２分間〜３分間程度）で簡単に実施することができる。
（３）オゾンの作用により、皮膚等を殺菌及び消毒することができる。
（４）ベッド等の横等に設置して使用することができる。
（５）肘掛け部、背もたれ部が設けてあるので、楽な姿勢で安定して洗浄することができる。
（６）洗浄槽内の温水が槽外に溢れ出るのを防止できる。
【００４８】
なお、上記した実施形態の洗浄装置は一例として開示したもので、本考案は上記実施形態に限定されるものではなく、実用新案登録請求の範囲に記載の技術思想を越脱しない範囲において任意に変更可能なものである。
【符号の説明】
【００４９】
１      腰掛用椅子部本体
２      洗浄槽
３      空気噴出管部
４      温水タンク
５      オゾン発生器
６      空気送給手段
【図１】
0003172661.tif 000003
【図２】
0003172661.tif 000004
【図３】
0003172661.tif 000005
【図４】
0003172661.tif 000006
【図５】
0003172661.tif 000007
【図６】
0003172661.tif 000008
【図７】
0003172661.tif 000009